(57)【特許請求の範囲】
【請求項１】
購入ユーザのユーザ端末装置と通信ネットワークで接続されている販売業者のデータ処理装置であって、販売物品を通信販売する仮想店舗のホームページを前記通信ネットワーク上に開設する店舗開設手段と、この店舗開設手段により開設された前記仮想店舗を前記通信ネットワークでデータ閲覧する前記ユーザ端末装置から物品注文をデータ受信する注文受信手段と、この注文受信手段でデータ受信された物品注文をディスプレイに表示してデータ出力する注文出力手段と、前記仮想店舗をデータ閲覧する前記ユーザ端末装置に、前記物品注文した販売物品の表面に貼付されるラベルの任意画像として、購入ユーザが独自に作成しデータ登録した画像データを前記物品注文した販売物品の表面に付与するラベルに印刷される任意画像として設定可能とした作業画面をデータ提示する作業提示手段と、この作業提示手段により作業画面をデータ提示した前記ユーザ端末装置から前記任意画像をデータ受信するデータ受信手段と、このデータ受信手段でデータ受信された二次元の前記任意画像を三次元画像に変換し、三次元画像に変換された前記任意画像を物品注文した販売物品の三次元画像に合成して前記任意画像が印刷されたラベルが表面に付与された販売物品の予想画像を三次元状にデータ生成する予想生成手段と、この予想生成手段でデータ生成された前記予想画像を前記ユーザ端末装置にデータ提示する予想提示手段と、この予想提示手段で前記予想画像がデータ提示された前記ユーザ端末装置から確認完了をデータ受信し、予めデータ登録されている既存の販売物品のラベルの本来画像と前記任意画像とをパターンマッチングさせる確認受信手段と、この確認受信手段による前記パターンマッチングの結果、前記既存の販売物品のラベルの本来画像と前記任意画像のパターンが整合しなかった場合にのみ前記任意画像をデータ出力する画像出力手段と、を具備しているデータ処理装置と、
このデータ処理装置がデータ出力する前記任意画像が前記販売物品の表面に画像ラベルとして貼付される粘着シールの表面に印刷出力する画像印刷装置と、を具備しており、
前記粘着シールが、前記物品注文した販売物品のラベルの本来画像が予め印刷され、かつ前記販売物品に直接に貼付される第一シールと、前記画像印刷装置により前記任意画像が印刷出力され、かつ第一シールの表面に着脱自在に貼付される第二シールと、を具備している画像付与システム。
【発明の詳細な説明】
【０００１】
【発明の属する技術分野】
本発明は、データ通信システムを利用して購入ユーザに販売物品を通信販売する販売業者のデータ処理装置と画像印刷装置からなる画像付与システムに関する。
【０００２】
【従来の技術】
現在、いわゆるインターネットが通信ネットワークとして一般に普及しており、このインターネットを利用して販売物品を購入ユーザに通信販売している販売業者もいる。その場合、販売業者はネットワークサーバなどのデータ処理装置でインターネットに仮想店舗のホームページを開設するので、このインターネットの仮想店舗を、パーソナルコンピュータやＰＤＡ(Personal Digital Assistance)や携帯電話などのユーザ端末装置で購入ユーザが所望によりデータ閲覧することになる。
【０００３】
そこで、この購入ユーザが所望の販売物品の物品注文をユーザ端末装置から仮想店舗にデータ入力すると、これがデータ処理装置でデータ送信されて販売業者にデータ出力されるので、この販売業者は物品注文に対応して販売物品を購入ユーザに通信販売する。
【０００４】
さらに、上述のようなインターネットを利用した通信販売において、購入ユーザの注文に対応して販売物品をカスタム化することも実施されている。例えば、“http://members.aol.com/moitie2/label.htm”や“http://www.mercian.co.jp/new/pb.html”をアドレスとするホームページの仮想店舗では、販売物品として通信販売する瓶詰ワインに任意画像の画像ラベルを貼付することが実施されている。
【０００５】
同様に、“http://www.suntory.co.jp/whisky/pb/index.html”をアドレスとするホームページの仮想店舗では、販売物品として通信販売する瓶詰ウィスキに任意画像の画像ラベルを貼付することや、瓶詰ウィスキに任意画像を印刷出力することが実施されている。
【０００６】
より具体的には、これらの仮想店舗では、各種用途に対応して複数種類のサンプル画像が事前に用意されているので、購入ユーザが所望のサンプル画像を選択してテキストデータの追加などを指定すると、これが任意画像として販売業者により作成される。
【０００７】
また、購入ユーザが所望の写真やイラストを販売業者に郵送して所望イメージを通達すると、この販売業者が写真やイラストから所望イメージに対応して任意画像を作成することも実施されている。そして、販売業者は任意画像を試作すると購入ユーザに確認させるので、この購入ユーザが承認すると販売業者は実際に任意画像を販売物品に付与することになる。
【０００８】
【発明が解決しようとする課題】
上述のような従来の手法では、販売業者は試作した任意画像を購入ユーザに確認させるので、購入ユーザは販売物品に実際に付与される任意画像を事前に確認することができる。
【０００９】
このように販売業者が試作した任意画像を購入ユーザに確認させる場合、例えば、任意画像の画像データを電子メールの添付ファイルとして購入ユーザにデータ送信したり、任意画像の画像データをホームページで表示出力したり、任意画像を印刷出力した印刷用紙を郵送することが可能である。
【００１０】
しかし、これでは任意画像のみを単独で平面の状態で確認することになるため、実際に販売物品に付与された状態を確認することが困難である。例えば、販売物品が瓶詰ワインなどの場合、その円筒面に任意画像が付与されるので、平面状態の任意画像では実際のイメージを把握することが困難である。
【００１１】
また、瓶詰ワインなどは特有の着色が施されているため、任意画像のみを単独で確認しても全体のイメージを把握することが困難である。さらに、任意画像を画像ラベルとして瓶詰ワインに貼付する場合、その貼付位置でも全体のイメージが多分に変化するので、任意画像のみを単独で確認しても全体のイメージを把握することが困難である。同様に、画像ラベルの輪郭形状でも全体のイメージが多分に変化するので、任意画像のみを単独で確認しても全体のイメージを把握することが困難である。
【００１２】
上述のような課題を解決するためには、例えば、実際に任意画像を試作して販売物品に付与し、その実物を購入ユーザに確認させることが確実である。しかし、これでは購入ユーザと販売業者との両方に多大な作業負担が発生することになり、購入ユーザが所望する任意画像を販売業者が迅速かつ安価に販売物品に付与することが困難となる。
【００１３】
本発明は上述のような課題に鑑みてなされたものであり、任意画像が付与された販売物品の全体イメージを購入ユーザに簡単かつ迅速に確認させることができるデータ処理装置と画像印刷装置からなる画像付与システムを提供することを目的とする。
【００１４】
【課題を解決するための手段】
本発明では、購入ユーザのユーザ端末装置と販売業者のデータ処理装置とが通信ネットワークで接続されてデータ通信システムを形成しており、販売業者が購入ユーザに販売物品を通信販売する仮想店舗がデータ処理装置により通信ネットワークに開設されており、この通信ネットワークで仮想店舗をデータ閲覧するユーザ端末装置からデータ処理装置に注文された販売物品を販売業者が購入ユーザに通信販売する。
【００１５】
そして、本発明では、通信ネットワークから仮想店舗をデータ閲覧するユーザ端末装置にデータ処理装置から販売物品の表面に任意画像を付与する作業画面もデータ提示され、この作業画面にユーザ端末装置から任意画像のデータ生成に必要な各種の生成データがデータ入力され、このデータ入力される生成データによりユーザ端末装置で任意画像がデータ生成されてデータ処理装置にデータ送信され、このデータ処理装置で任意画像が表面に付与された販売物品の予想画像が三次元状にデータ生成されてユーザ端末装置にデータ提示され、この予想画像がデータ提示されたユーザ端末装置からデータ処理装置が確認完了をデータ受信する。
【００１６】
このため、本発明では、任意画像が表面に付与された販売物品が販売業者から購入ユーザに通信販売されることになり、その任意画像は購入ユーザの所望によりデータ生成されるが、販売物品の表面に付与された状態が購入ユーザに確認され、特に、実際には立体からなる販売物品の表面に二次元の任意画像が付与された状態が購入ユーザに三次元的に確認される。
【００２６】
また、販売業者により任意画像が粘着シールの表面に印刷出力されて画像ラベルが作成され、この画像ラベルが販売業者により販売物品の表面に貼付されてから購入ユーザに通信販売されることにより、
この購入ユーザには任意画像が画像ラベルの貼付により付与された販売物品が通信販売される。
【００２７】
また、粘着シールが、販売物品に直接に貼付される第一シールと、この第一シールに着脱自在に貼付されている第二シールと、を具備しており、任意画像が第一シールと第二シールとの少なくとも一方に印刷出力されることにより、
販売物品に一つの任意画像以外の画像も付与される。
【００２８】
また、販売物品には事前に本来画像が付与されており、この本来画像が第一シールに印刷出力され、任意画像が第二シールに印刷出力されることにより、
この第二シールが貼付されていると販売物品は表面に任意画像が付与された状態となり、第二シールが取り外されると販売物品は表面に本来画像が付与された状態となる。
【００２９】
なお、ユーザ端末装置とは、インターネットなどの通信ネットワークでデータ通信することができて購入ユーザに操作される装置を意味しており、いわゆるパーソナルコンピュータや携帯電話などを許容する。このようなユーザ端末装置は購入ユーザに使用されれば所有されている必要はなく、例えば、コンビニエンスストアなどに設置されていて一時的に購入ユーザに貸与されるものも許容する。
【００３０】
また、本発明で云う各種手段は、その機能を実現するように形成されていれば良く、例えば、所定の機能を発揮する専用のハードウェア、所定の機能がプログラムにより付与されたコンピュータ、プログラムによりコンピュータの内部に実現された所定の機能、これらの組み合わせ、等を許容する。
【００３１】
また、本発明で云う情報記憶媒体とは、コンピュータに各種処理を実行させるためのプログラムがソフトウェアとして事前に格納されたハードウェアであれば良く、例えば、コンピュータを一部とする装置に固定されているＲＯＭ(Read Only Memory)やＨＤＤ(Hard Disc Drive)、コンピュータを一部とする装置に交換自在に装填されるＣＤ(Compact Disc)−ＲＯＭやＦＤ(Floppy Disc)、等を許容する。
【００３２】
また、本発明で云うコンピュータとは、ソフトウェアからなるプログラムをデータ読取して対応する処理動作を実行できる装置であれば良く、例えば、ＣＰＵ(Central Processing Unit)を主体として、これにＲＯＭやＲＡＭ(Random Access Memory)やＩ／Ｆ(Interface)等の各種デバイスが必要により接続された装置などを許容する。
【００３３】
なお、本発明でソフトウェアに対応した各種動作をコンピュータに実行させることは、各種デバイスをコンピュータに動作制御させることなども許容する。例えば、コンピュータに各種データをデータ保存させることは、コンピュータが事前に接続されているＲＡＭ等の情報記憶媒体に各種データを格納することや、コンピュータが一部として具備している内部メモリに各種データを格納することや、本発明の情報記憶媒体がＦＤ等の場合に、そこにコンピュータが各種データを格納すること、等を許容する。
【００３４】
【発明の実施の形態】
本発明の参考例を図面を参照して以下に説明する。本参考例のデータ通信システム１０は、販売業者のデータ処理装置１１、購入ユーザのユーザ端末装置１２、公共の通信ネットワークであるインターネット１３、を具備しており、一個のデータ処理装置１１と多数のユーザ端末装置１２とが一つのインターネット１３で接続されている。
【００３５】
データ処理装置１１には、業者専用の通信ネットワークであるＬＡＮ(Local Area Network)１４により販売業者の画像印刷装置１５が接続されており、この画像印刷装置１５とデータ処理装置１１とで画像付与システム１６が形成されている。
【００３６】
本参考例では、販売業者は一般ユーザに販売物品として瓶詰ワイン２０を通信販売しており、その通信販売の事務処理などをメーカ本社２１で実行しており、通信販売する瓶詰ワイン２０を保管場所であるメーカ倉庫２２に保管している。
【００３７】
データ処理装置１１は、販売業者のメーカ本社２１に設置されたネットワークサーバなどからなり、瓶詰ワイン２０を通信販売するホームページのインターネット１３への開設や、その瓶詰ワイン２０の通信販売のデータ処理などに利用されている。
【００３８】
ユーザ端末装置１２は、購入ユーザに所有されているパーソナルコンピュータなどからなり、インターネット１３のホームページのデータ閲覧などに利用されている。画像印刷装置１５は、メーカ倉庫２２に設置されたラベルプリンタからなり、瓶詰ワイン２０に貼付される任意画像の画像ラベル２３の印刷出力などに利用されている。
【００３９】
本参考例のデータ処理装置１１は、コンピュータの主体となるハードウェアとしてＣＰＵ１０１を具備しており、このＣＰＵ１０１には、バスライン１０２により、ＲＯＭ１０３、ＲＡＭ１０４、ＨＤＤ１０５、ＦＤ１０６が交換自在に装填されるＦＤＤ(FD Drive)１０７、ＣＤ−ＲＯＭ１０８が交換自在に装填されるＣＤドライブ１０９、キーボード１１０、マウス１１１、ディスプレイ１１２、通信Ｉ／Ｆ１１３、等のハードウェアが接続されている。
【００４０】
なお、各部のデータ容量や処理速度などは相違するが、ユーザ端末装置１２もデータ処理装置１１と同様なハードウェアを具備しているので、ここではユーザ端末装置１２とデータ処理装置１１との各部で同一の名称および符号を使用して詳細な説明は省略する。
【００４１】
本参考例のデータ処理装置１１では、ＲＯＭ１０３、ＲＡＭ１０４、ＨＤＤ１０５、交換自在なＦＤ１０６、交換自在なＣＤ−ＲＯＭ１０８、等のハードウェアが情報記憶媒体に相当し、これらの少なくとも一個にＣＰＵ１０１のための制御プログラムや各種データがソフトウェアとしてデータ格納されている。
【００４２】
例えば、ＣＰＵ１０１に各種の処理動作を実行させる制御プログラムは、ＦＤ１０６やＣＤ−ＲＯＭ１０８に事前に格納されている。このようなソフトウェアはＨＤＤ１０５に事前にインストールされており、データ処理装置１１の起動時にＲＡＭ１０４に複写されてＣＰＵ１０１に読み取られる。
【００４３】
このようにＣＰＵ１０１が適正なプログラムをデータ読取して各種の処理動作を実行することにより、本参考例のデータ処理装置１１は、図１に示すように、店舗開設手段３１、注文受信手段３２、注文出力手段３３、作業提示手段３４、データ受信手段３５、予想生成手段３６、予想提示手段３７、確認受信手段３８、画像出力手段３９、等の各種手段を各種機能として論理的に具備している。
【００４４】
店舗開設手段３１は、ＲＡＭ１０４等の制御プログラムに対応してＣＰＵ１０１がＨＤＤ１０５や通信Ｉ／Ｆ１１３を統合制御する機能などに相当し、販売業者が購入ユーザに瓶詰ワイン２０を通信販売する仮想店舗のホームページをインターネット１３に開設する。
【００４５】
注文受信手段３２は、上述の制御プログラムに対応してＣＰＵ１０１が通信Ｉ／Ｆ１１３の受信データをデータ認識する機能などに相当し、店舗開設手段３１により開設されたホームページをインターネット１３でデータ閲覧するユーザ端末装置１２から物品注文をデータ受信する。
【００４６】
より具体的には、データ処理装置１１は、瓶詰ワイン２０を通信販売する仮想店舗のホームページをインターネット１３に開設しているので、このホームページ１３のホームページを購入ユーザはユーザ端末装置１２によりデータ閲覧することができる。
【００４７】
そのホームページには、通信販売する複数種類の瓶詰ワイン２０ごとに、名称、販売価格、外観画像、在庫個数、などがデータ提示されており、その瓶詰ワイン２０の注文に必要な各種データがデータ入力される注文画面も用意されている。そこで、この注文画面の各種項目に購入ユーザが購入個数や住所などの各種データをデータ入力すると、これが物品注文としてデータ処理装置１１にデータ受信される。
【００４８】
注文出力手段３３は、ＣＰＵ１０１が制御プログラムに対応してディスプレイ１１２や通信Ｉ／Ｆ１１３のデータ出力を動作制御する機能などに相当し、注文受信手段３２でデータ受信された物品注文をメーカ本社２１とメーカ倉庫２２との販売業者にデータ出力する。
【００４９】
より具体的には、前述のように購入ユーザの物品注文をデータ受信したデータ処理装置１１は、その物品注文をディスプレイ１１２の画像表示でメーカ本社２１の販売業者に報知出力するとともに、通信Ｉ／Ｆ１１３によるメール送信でメーカ倉庫２２の販売業者に報知出力するので、これでメーカ本社２１とメーカ倉庫２２との販売業者は瓶詰ワイン２０の注文内容を認識することになる。
【００５０】
作業提示手段３４は、ＣＰＵ１０１が制御プログラムに対応してＨＤＤ１０５や通信Ｉ／Ｆ１１３を統合制御する機能などに相当し、ホームページをデータ閲覧するユーザ端末装置１２に、瓶詰ワイン２０の表面に任意画像を付与する作業画面をデータ提示する。
【００５１】
より具体的には、瓶詰ワイン２０を通信販売するホームページにはラベル作成の作業画面も用意されており、この作業画面では瓶詰ワイン２０に貼付する画像ラベル２３を任意画像に作成することができる。その作業画面には、各種用途に対応して画像ラベル２３の多数のサンプル画像が事前に用意されているので、そのサンプル画像を選択して所望のテキストデータを所望の位置にデータ入力することで、任意画像を作成することができる。
【００５２】
また、画像ラベル２３の任意画像に利用できる背景やキャラクタなどのサンプル画像も事前に用意されているので、背景を選択してキャラクタを配置することでも任意画像を作成することができる。しかも、画像ラベル２３の輪郭形状、ラベルサイズ、貼付位置、なども自在にデータ入力することができるので、これらも所望によりデータ設定することができる。
【００５３】
さらに、本参考例のデータ処理装置１１がユーザ端末装置１２に提供する作業画面では、ユーザ端末装置１２の入力操作により任意画像の画像データを購入ユーザが独自に作成することもでき、ユーザ端末装置１２にデータ登録されている画像データを任意画像に利用することもできる。
【００５４】
データ受信手段３５は、ＣＰＵ１０１が制御プログラムに対応して通信Ｉ／Ｆ１１３の受信データをデータ認識する機能などに相当し、作業提示手段３４により作業画面をデータ提示したユーザ端末装置１２から任意画像をデータ受信する。
【００５５】
より具体的には、前述のようにユーザ端末装置１２によりホームページの作業画面で任意画像を作成した購入ユーザが、そのホームページの“画像送信”の操作アイコンを入力操作すると、その作業画面にデータ入力された各種データが任意画像としてデータ処理装置１１にデータ送信される。
【００５６】
例えば、前述のように購入ユーザが画像ラベル２３のサンプル画像を選択して所望のテキストデータを所望の位置にデータ入力した場合、そのサンプル画像の識別データ、テキストデータ、その入力位置、等が任意画像の送信データとしてユーザ端末装置１２からデータ処理装置１１までデータ送信される。
【００５７】
また、背景が選択されてキャラクタが配置された場合は、その背景とキャラクタの識別データ、キャラクタの入力位置、等がデータ送信され、任意画像の画像データが購入ユーザにより独自に作成された場合は、その画像データが圧縮されてからデータ送信される。さらに、画像ラベル２３の輪郭形状、ラベルサイズ、貼付位置、などがデータ入力された場合には、これらも所定形式の通信データとしてデータ送信される。
【００５８】
予想生成手段３６は、ＣＰＵ１０１が制御プログラムに対応して所定のデータ処理を実行する機能などに相当し、データ受信手段３５によりデータ受信された任意画像が画像ラベル２３として表面に付与された瓶詰ワイン２０の予想画像をデータ生成する。
【００５９】
より具体的には、データ処理装置１１には瓶詰ワイン２０の全体の外観を示すワイン画像が事前にデータ登録されており、任意画像を付与する瓶詰ワイン２０がホームページの作業画面でユーザ端末装置１２により選択されると、その選択された瓶詰ワイン２０のワイン画像がデータ読出される。
【００６０】
そして、ホームページの作業画面でデータ生成された画像ラベルの任意画像をユーザ端末装置１２からデータ受信すると、その任意画像がワイン画像に合成されて予想画像がデータ生成される。このとき、ワイン画像はフルカラーでデータ登録されており、任意画像はフルカラーでデータ生成されるので、予想画像もフルカラーでデータ生成される。
【００６１】
さらに、任意画像は二次元状の画像データとしてデータ生成されるが、ワイン画像は瓶詰ワイン２０の外形に対応した三次元状にデータ登録されている。そして、二次元の任意画像が三次元画像に変換され、これが三次元状のワイン画像に合成されることで三次元状の予想画像がデータ生成される。また、画像ラベル２３の輪郭形状、ラベルサイズ、貼付位置、などが任意画像の一部としてデータ入力された場合、これらにも対応して予想画像はデータ生成される。
【００６２】
予想提示手段３７は、ＣＰＵ１０１が制御プログラムに対応して通信Ｉ／Ｆ１１３のデータ送信を動作制御する機能などに相当し、予想生成手段３６でデータ生成された予想画像をユーザ端末装置１２にデータ提示する。より具体的には、前述のようにユーザ端末装置１２によりホームページの作業画面で任意画像がデータ生成されてデータ送信されると、そのホームページの表示画像としてデータ処理装置１１が予想画像を即座にデータ返信する。
【００６３】
確認受信手段３８は、ＣＰＵ１０１が制御プログラムに対応して通信Ｉ／Ｆ１１３の受信データをデータ認識する機能などに相当し、予想提示手段３７により予想画像がデータ提示されたユーザ端末装置１２から確認完了をデータ受信する。
【００６４】
より具体的には、前述のようにデータ処理装置１１でデータ生成された予想画像はホームページの表示画像としてユーザ端末装置１２にデータ提示されるので、そこにデータ提示される“確認完了”の操作アイコンがユーザ端末装置１２で入力操作されると、これが確認完了の送信データとしてデータ処理装置１１でデータ受信される。
【００６５】
画像出力手段３９は、ＣＰＵ１０１が制御プログラムに対応して通信Ｉ／Ｆ１１３のデータ送信を動作制御する機能などに相当し、確認受信手段３８が確認完了をデータ受信すると任意画像をＬＡＮ１４によりメーカ倉庫２２の画像印刷装置１５にデータ出力する。この画像印刷装置１５は、メーカ本社２１のデータ処理装置１１から任意画像をデータ受信すると、その任意画像を粘着シールの表面に印刷出力して画像ラベル２３を発行する。
【００６６】
上述のような各種手段は、必要によりキーボード１１０やディスプレイ１１２等のハードウェアを利用して実現されるが、その主体はＲＡＭ１０４等の情報記憶媒体に格納されたソフトウェアに対応して、コンピュータのハードウェアであるＣＰＵ１０１が機能することにより実現されている。
【００６７】
このようなソフトウェアは、例えば、販売業者が購入ユーザに瓶詰ワイン２０を通信販売する仮想店舗のホームページを通信Ｉ／Ｆ１１３などによりインターネット１３に開設すること、この開設されたホームページをインターネット１３でデータ閲覧するユーザ端末装置１２から物品注文をデータ受信すること、このデータ受信された物品注文をディスプレイ１１２の表示出力などによりメーカ本社２１やメーカ倉庫２２の販売業者にデータ出力すること、ホームページをデータ閲覧するユーザ端末装置１２に任意画像の作業画面をデータ提示すること、この作業画面をデータ提示したユーザ端末装置１２から任意画像をデータ受信すること、このデータ受信された任意画像が画像ラベル２３として表面に付与された瓶詰ワイン２０の予想画像をデータ生成すること、このデータ生成された予想画像をユーザ端末装置１２にデータ提示すること、この予想画像がデータ提示されたユーザ端末装置１２から確認完了をデータ受信すること、この確認完了をデータ受信すると任意画像をＬＡＮ１４によりメーカ倉庫２２の画像印刷装置１５にデータ出力すること、等の処理動作をＣＰＵ１０１等に実行させるための制御プログラムとしてＲＡＭ１０４等の情報記憶媒体に格納されている。
【００６８】
上述のような構成において、本参考例のデータ通信システム１０での物品販売方法を以下に説明する。まず、販売業者は購入ユーザに通信販売する瓶詰ワイン２０をメーカ倉庫２２に保管し、その瓶詰ワイン２０の識別データごとに販売価格や在庫個数などの各種データをメーカ本社２１のデータ処理装置１１にデータ登録してデータベースを構築する。
【００６９】
さらに、その瓶詰ワイン２０をデジタルカメラ(図示せず)で撮像するなどしてワイン画像もデータ処理装置１１のデータベースにデータ登録し、図６に示すように、このデータ処理装置１１により瓶詰ワイン２０を通信販売する仮想店舗のホームページをインターネット１３に開設する(ステップＳ１)。
【００７０】
そこで、このホームページをインターネット１３からユーザ端末装置１２でデータ閲覧する購入ユーザは、所望により瓶詰ワイン２０を注文して購入することができる。このとき、ホームページには瓶詰ワイン２０ごとに、名称、販売価格、外観画像、在庫個数、等がデータ提示されているので、購入ユーザは在庫個数を確認してから注文個数をデータ入力することができる。
【００７１】
この物品注文をユーザ端末装置１２からデータ受信したデータ処理装置１１は(ステップＳ２)、その注文内容をメーカ本社２１やメーカ倉庫２２の販売業者にデータ出力するので(ステップＳ１１)、これで販売業者は注文内容に対応して瓶詰ワイン２０を購入ユーザに通信販売することができる。
【００７２】
ただし、本参考例では、通信販売する瓶詰ワイン２０の画像ラベル２３を有料で任意画像にできることもホームページにデータ提示されており、その任意画像を作成する作業画面もホームページに用意されている。そして、上述のように購入ユーザがユーザ端末装置１２により瓶詰ワイン２０をホームページで注文すると、このホームページに“御注文いただきました瓶詰ワインに、有料で任意画像の画像ラベルを貼付することもできます”などのガイダンスメッセージがデータ提示され、“画像ラベルを作成する”“画像ラベルを作成しない”なる操作アイコンもデータ提示される。
【００７３】
そこで、瓶詰ワイン２０を注文する購入ユーザが任意画像の画像ラベル２３を所望する場合、“画像ラベルを作成する”をユーザ端末装置１２により入力操作すると(ステップＳ３)、そのホームページに作業画面がデータ提示される(ステップＳ４)。
【００７４】
この作業画面には、前述のように画像ラベル２３の多数のサンプル画像が事前に用意されているので、購入ユーザはユーザ端末装置１２の入力操作により所望のサンプル画像を選択して所望のテキストデータを所望の位置にデータ入力することで任意画像を作成することができる。
【００７５】
また、背景のサンプル画像を選択してキャラクタのサンプル画像を配置することも可能であり、任意画像の画像データを購入ユーザが独自に作成することや、所定の画像データを任意画像に利用することもでき、画像ラベル２３の輪郭形状、ラベルサイズ、貼付位置、なども自在にデータ設定することもできる。
【００７６】
このようにユーザ端末装置１２でデータ生成された任意画像がデータ処理装置１１にデータ送信されると(ステップＳ５)、このデータ処理装置１１は、データ受信した任意画像を対応するワイン画像に合成して予想画像をデータ生成する(ステップＳ６)。このとき、フルカラーの二次元状の任意画像の画像ラベル２３を、フルカラーの三次元状のワイン画像に合成することで、三次元状のフルカラーに予想画像はデータ生成される。
【００７７】
例えば、図４(ａ)に示すように、購入ユーザが矩形でなく円弧状の輪郭形状で画像ラベル２３の任意画像をデータ生成し、同図(ｂ)に示すように、注文された瓶詰ワイン２０の胴体部分が下方に先鋭な円錐形状の場合、同図(ｃ)に示すように、円錐形状の瓶詰ワイン２０に円弧状の画像ラベル２３が貼付された予想画像がデータ生成される。
【００７８】
上述のようにデータ生成された予想画像はホームページの表示画像としてデータ処理装置１１からユーザ端末装置１２にデータ提示されるので(ステップＳ７)、その予想画像に満足した購入ユーザは“確認完了”の操作アイコンを入力操作することになる。
【００７９】
すると、これをデータ受信したデータ処理装置１１では(ステップＳ８)、その任意画像がメーカ倉庫２２の画像印刷装置１５までデータ送信されるので(ステップＳ１０)、この画像印刷装置１５は粘着ラベルに任意画像を印刷出力して画像ラベルを発行することになる。
【００８０】
このとき、メーカ倉庫２２の販売業者には注文内容もデータ送信されるので(ステップＳ１１)、その販売業者は画像印刷装置１５が印刷出力する画像ラベル２３を注文内容に対応して瓶詰ワイン２０に貼付し、この画像ラベル２３が貼付された瓶詰ワイン２０をメーカ倉庫２２から購入ユーザに配送することになる。
【００８１】
なお、ユーザ端末装置１２にデータ提示される予想画像を確認した購入ユーザが“やり直し”の操作アイコンを入力操作すると(ステップＳ９)、作業画面が再度提示されて任意画像をデータ生成できる状態に復帰する(ステップＳ４〜Ｓ９)。
【００８２】
また、メーカ倉庫２２の画像印刷装置１５で印刷出力される画像ラベル２３を販売業者が瓶詰ワイン２０に貼付するときは、例えば、最初から瓶詰ワイン２０に貼付されている本来画像の画像ラベル(図示せず)を引き剥がしてから画像ラベル２３を貼付することや、最初から瓶詰ワイン２０に貼付されている本来画像の画像ラベル(図示せず)に画像ラベル２３を重複させて貼付することが可能である。
【００８３】
本参考例の物品販売方法では、上述のようにインターネット１３に開設したホームページを仮想店舗として、販売業者が購入ユーザに瓶詰ワイン２０を通信販売することができ、そのホームページで購入ユーザからデータ受信する任意画像の画像ラベル２３を通信販売する瓶詰ワイン２０に貼付することもできるので、購入ユーザは所望の画像ラベル２３の瓶詰ワイン２０を販売業者から購入することができる。
【００８４】
しかも、画像ラベル２３の任意画像は、データ処理装置１１からユーザ端末装置１２にデータ提示されるホームページの作業画面でデータ生成できるので、購入ユーザは画像作成のアプリケーションプログラムなどを用意しなくとも簡単に画像ラベル２３の任意画像をデータ生成することができる。
【００８５】
そして、購入ユーザがユーザ端末装置１１で画像ラベル２３の任意画像をデータ生成してデータ処理装置１１にデータ送信すると、このデータ処理装置１１は任意画像の画像ラベル２３が瓶詰ワイン２０に貼付された三次元状の予想画像をデータ生成してユーザ端末装置１１にデータ返信する。
【００８６】
このため、購入ユーザは二次元状の画像ラベル２３の任意画像だけでなく、これが瓶詰ワイン２０に貼付された三次元状の状態を確認することができる。それでいて、この確認のために任意画像が付与された瓶詰ワイン２０を販売業者が実際に試作する必要はなく、任意画像が画像ラベル２３で付与された瓶詰ワイン２０の全体イメージを購入ユーザに簡単かつ迅速に確認させることができる。
【００８７】
なお、この三次元状の予想画像は、図４(ａ)に示すように、瓶詰ワイン２０の正面図のみとしてデータ処理やデータ通信の作業負担を軽減することも可能であるが、図５に示すように、ジャバアプレットなどを利用することでユーザ端末装置１１で自在に方向を可変できる３ＤＣＧ(3-Dimension Computer Graphic)とすることも可能である。
【００８８】
さらに、本参考例のデータ処理装置１１がユーザ端末装置１２にデータ提示する作業画面では、購入ユーザは画像ラベル２３の任意画像をフルカラーでデータ生成することができ、これが瓶詰ワイン２０に貼付された予想画像もフルカラーで購入ユーザにデータ提示される。このため、任意画像の画像ラベル２３が瓶詰ワイン２０に付与された状態を購入ユーザにフルカラーで確認させることができ、瓶詰ワイン２０と画像ラベル２３との色味の対比具合なども購入ユーザに確認させることができる。
【００８９】
さらに、データ処理装置１１がユーザ端末装置１２にデータ提示する作業画面では、購入ユーザは画像ラベル２３の輪郭形状やラベルサイズや瓶詰ワイン２０への付与位置も指定することができるので、その画像ラベル２３が瓶詰ワイン２３に貼付された状態の全体イメージを購入ユーザに的確に確認させることができる。
【００９０】
また、データ処理装置１１がユーザ端末装置１２にデータ提示するホームページでは、複数種類の瓶詰ワイン２０が各々の在庫個数とともにデータ提示されているので、購入ユーザに在庫個数を確認させてから瓶詰ワイン２０を注文させることができる。このため、購入ユーザに瓶詰ワイン２０の在庫個数を確認させてから画像ラベル２３の任意画像をデータ生成させることができ、この画像ラベル２３の任意画像をデータ生成する煩雑な作業を無駄に実行させることがない。
【００９１】
さらに、本参考例のデータ通信システム１０による物品販売方法では、瓶詰ワイン２０を保管しているメーカ倉庫２２で任意画像の画像ラベル２３が印刷出力され、この印刷出力された画像ラベル２３がメーカ倉庫２２で瓶詰ワイン２０に貼付される。
【００９２】
そして、この画像ラベル２３が貼付された瓶詰ワイン２０がメーカ倉庫２２から購入ユーザに配送されるので、保管している瓶詰ワイン２０に任意画像の画像ラベル２３を貼付して購入ユーザまで配送する作業を簡単かつ迅速に実行することができる。
【００９３】
なお、上記の参考例では販売物品として瓶詰ワイン２０を例示したが、これは任意画像を表面に付与できる各種物品とすることが可能である。
【００９４】
また、上記の参考例では通信販売する瓶詰ワイン２０を購入ユーザ１２に配送することを例示したが、当然ながら瓶詰ワイン２０を贈答品などとして購入ユーザ１２の所定場所に配送することも可能である。さらに、上記の参考例では瓶詰ワイン２０の保管と画像ラベル２３の印刷出力と瓶詰ワイン２０の配送とを一つのメーカ倉庫２２で実行することを例示したが、これを各々別個の場所で実行することも可能である。
【００９５】
また、上記の参考例では瓶詰ワイン２０を通信販売する販売業者がデータ処理装置１１によりホームページをインターネット１３に開設することを例示したが、例えば、瓶詰ワイン２０を通信販売する販売業者と、インターネット１３にデータ処理装置１１でホームページを開設するネットワークプロバイダとが業務提携し、ネットワークプロバイダがデータ処理装置１１でインターネット１３に開設するホームページを利用して販売業者が瓶詰ワイン２０を通信販売するようなことも可能である。
【００９６】
さらに、上記の参考例では通信ネットワークがインターネット１３からなりユーザ端末装置１２がパーソナルコンピュータからなることを例示したが、例えば、通信ネットワークを電話網としてユーザ端末装置を多機能電話とするようなことも可能である。
【００９７】
また、上記の参考例では販売業者のデータ処理装置１１からユーザ端末装置１２にデータ提示される作業画面により購入ユーザが任意画像をデータ生成し、このデータ生成された任意画像がユーザ端末装置１２からデータ処理装置１１までデータ送信されることを例示した。
【００９８】
しかし、任意画像のデータ生成に必要な各種の生成データを購入ユーザがユーザ端末装置１２からデータ処理装置１１にデータ送信し、このデータ処理装置１１の販売業者が生成データに基づいて任意画像をデータ生成することも可能である。
【００９９】
この場合、購入ユーザがユーザ端末装置１２にデータ入力してデータ処理装置１１までデータ送信する任意画像の素材データや全体イメージなどから販売業者が任意画像をデータ生成するので、購入ユーザが意図する任意画像を販売業者がデータ生成することは困難である。
【０１００】
しかし、本発明の物品販売方法では、前述のようにデータ生成した任意画像が販売物品に付与された予想画像を購入ユーザに確認させるので、購入ユーザはデータ生成された任意画像を販売物品の全体イメージとともに的確に確認することができ、この確認結果から任意画像の修正指示などを販売業者に的確に通達することができる。
【０１０１】
また、上記の参考例では任意画像を粘着ラベルに印刷出力した画像ラベル２３を瓶詰ワイン２０に貼付することを例示したが、例えば、任意画像を印刷出力した熱収縮チューブを販売物品に装着することも可能であり、販売物品の表面に任意画像を直接に印刷出力することも可能である。
【０１０２】
さらに、上記の参考例では瓶詰ワイン２０に事前に貼付されている本来画像の画像ラベルを引き剥がして任意画像の画像ラベル２３を貼付することや、瓶詰ワイン２０に事前に貼付されている本来画像の画像ラベルに任意画像の画像ラベル２３を重複させて貼付することを例示した。
【０１０３】
しかし、これでは瓶詰ワイン２０の本来の名称やブランドなどを確認することが困難となるので、これを解消したい場合には、本発明の実施の形態として、粘着シールを二層シールとすることが可能である。この二層シールは、販売物品に直接に貼付される第一シールと、この第一シールに着脱自在に貼付されている第二シールからなるので、例えば、第一シールに本来画像を印刷出力して第二シールに任意画像を印刷出力することが可能である。
【０１０４】
この場合、第二シールが貼付されていると瓶詰ワイン２０は表面に任意画像が付与された状態となり、第二シールが取り外されると瓶詰ワイン２０は表面に本来画像が付与された状態となるので、任意画像が付与された状態と本来画像が付与された状態とを選択することが可能である。
【０１０５】
また、第一シールを透明として第二シールに任意画像を印刷出力し、この二層シールを瓶詰ワイン２０の本来画像の画像ラベルに重複させて貼付することも可能であり、第一シールと第二シールとに二種類の任意画像を個々に印刷出力することも可能である。
【０１０６】
さらに、上記の参考例では購入ユーザがデータ生成した任意画像を単純に印刷出力して瓶詰ワイン２０に貼付することを例示したが、これでは悪意のある購入ユーザにより偽物の瓶詰ワイン２０が作成される可能性がある。これを防止するためには、例えば、既存の瓶詰ワイン２０の本来画像の画像パターンをデータ処理装置１１にデータ登録しておき、これと任意画像とをデータ処理装置１１でパターンマッチングさせて整合するとデータ出力を拒否するようなことが好適である。
【０１０７】
同様に、既存の瓶詰ワイン２０の名称や公序良俗に違反する文言や登録商標などもデータ処理装置１１にデータ登録しておき、これも任意画像のテキストデータとデータ処理装置１１でパターンマッチングさせて検査することが好適である。
【０１０８】
さらに、上記の参考例ではＲＡＭ１０４等にソフトウェアとして格納されている制御プログラムに従ってＣＰＵ１０１が動作することにより、データ処理装置１１の各種機能として各種手段が論理的に実現されることを例示した。しかし、このような各種手段の各々を固有のハードウェアとして形成することも可能であり、一部をソフトウェアとしてＲＡＭ１０４等に格納するとともに一部をハードウェアとして形成することも可能である。
【０１０９】
また、上記の参考例ではＣＤ−ＲＯＭ１０８等からＨＤＤ１０５に事前にインストールされているソフトウェアがデータ処理装置１１の起動時にＲＡＭ１０４に複写され、このようにＲＡＭ１０４に格納されたソフトウェアをＣＰＵ１０１が読み取ることを想定したが、このようなソフトウェアをＨＤＤ１０５に格納したままＣＰＵ１０１に利用させることや、ＲＯＭ１０３に事前に固定的に格納しておくことも可能である。
【０１１０】
さらに、単体で取り扱える情報記憶媒体であるＦＤ１０６やＣＤ−ＲＯＭ１０８にソフトウェアを格納しておき、このＦＤ１０６等からＨＤＤ１０５やＲＡＭ１０４にソフトウェアをインストールすることも可能であるが、このようなインストールを実行することなくＦＤ１０６等からＣＰＵ１０１がソフトウェアを直接にデータ読取して処理動作を実行することも可能である。
【０１１１】
つまり、本発明のデータ処理装置１１の各種手段をソフトウェアにより実現する場合、そのソフトウェアはＣＰＵ１０１がデータ読取して対応する動作を実行できる状態に有れば良い。さらに、このように情報記憶媒体に記述したソフトウェアをＣＰＵ１０１に供給する手法は、その情報記憶媒体をデータ処理装置１１に直接に装填することに限定されない。
【０１１２】
例えば、上述のようなソフトウェアをホストコンピュータの情報記憶媒体に格納しておき、このホストコンピュータをインターネット１３で端末コンピュータに接続し、ホストコンピュータから端末コンピュータにデータ通信でソフトウェアを供給することも可能である。
【０１１３】
上述のような場合、端末コンピュータが自身の情報記憶媒体にソフトウェアをダウンロードした状態でスタンドアロンの処理動作を実行することも可能であるが、ソフトウェアをダウンロードすることなくホストコンピュータとのリアルタイムのデータ通信により処理動作を実行することも可能である。この場合、ホストコンピュータと端末コンピュータとをインターネット１３で接続したシステム全体が、本発明のデータ処理装置１１に相当することになる。
【０１１４】
また、上述のような各種手段を実現する制御プログラムを、複数のソフトウェアの組み合わせで形成することも可能であり、その場合、単体の製品となる情報記憶媒体には、本発明のデータ処理装置１１を実現するための必要最小限のソフトウェアのみを格納しておけば良い。
【０１１５】
例えば、既存のオペレーティングシステムが実装されているデータ処理装置１１に、ＣＤ−ＲＯＭ１０８等の情報記憶媒体によりアプリケーションソフトを提供するような場合、本発明のデータ処理装置１１の各種手段を実現するソフトウェアは、アプリケーションソフトとオペレーティングシステムとの組み合わせで実現されるので、オペレーティングシステムに依存する部分のソフトウェアは情報記憶媒体のアプリケーションソフトから省略することができる。
【０１１６】
【発明の効果】
本発明では、データ処理装置で任意画像が表面に付与された販売物品の予想画像が三次元的にデータ生成されてユーザ端末装置にデータ提示され、この予想画像がデータ提示されたユーザ端末装置からデータ処理装置が確認完了をデータ受信することにより、
任意画像が販売物品の表面に付与された状態を購入ユーザに確認させることができ、それでいて確認のために任意画像が付与された販売物品を実際に試作する必要もなく、任意画像が付与された販売物品の全体イメージを購入ユーザが簡単かつ迅速に確認することができ、特に、任意画像が付与された販売物品の三次元状の全体イメージを購入ユーザが簡単かつ迅速に確認することができる。
【０１２４】
また、販売業者により任意画像が粘着シールの表面に印刷出力されて画像ラベルが作成され、この画像ラベルが販売業者により販売物品の表面に貼付されてから購入ユーザに通信販売されることにより、
任意画像が画像ラベルの貼付により付与された販売物品を購入ユーザに通信販売することができる。
【０１２５】
また、粘着シールの第一シールと第二シールとの少なくとも一方に任意画像が印刷出力されることにより、
販売物品に一つの任意画像以外の画像も付与することができる。
【０１２６】
また、販売物品に事前に付与されている本来画像が第一シールに印刷出力され、任意画像が第二シールに印刷出力されることにより、
販売物品を任意画像が付与された状態と本来画像が付与された状態とに変化させることができる。
【図面の簡単な説明】
【図１】  本発明の参考例のデータ通信システムの論理構造を示す模式図である。
【図２】  データ通信システムの物理構造を示すブロック図である。
【図３】  データ処理装置の物理構造を示すブロック図である。
【図４】  任意画像とワイン画像から予想画像をデータ生成する状態を示す模式図である。
【図５】  ３ＤＣＧの予想画像を示す模式図である。
【図６】  データ処理装置によるデータ処理方法を示すフローチャートである。
【符号の説明】
１０    データ通信システム
１１    データ処理装置
１２    ユーザ端末装置
１３    通信ネットワークであるインターネット
１５    画像印刷装置
２０    販売物品である瓶詰ワイン
２２    保管場所であるメーカ倉庫
２３    画像ラベル
３１    店舗開設手段
３２    注文受信手段
３３    注文出力手段
３４    作業提示手段
３５    データ受信手段
３６    予想生成手段
３７    予想提示手段
３８    確認受信手段
３９    画像出力手段
１０１    コンピュータの主体であるＣＰＵ
１０３    情報記憶媒体であるＲＯＭ
１０４    情報記憶媒体であるＲＡＭ
１０５    情報記憶媒体であるＨＤＤ
１０６    情報記憶媒体であるＦＤ
１０８    情報記憶媒体であるＣＤ−ＲＯＭ
【図１】
0004236810.tif 000002
【図２】
0004236810.tif 000003
【図３】
0004236810.tif 000004
【図４】
0004236810.tif 000005
【図５】
0004236810.tif 000006
【図６】
0004236810.tif 000007